(57)【特許請求の範囲】
【請求項１】
薬液を弾性体からなる薬液バルーンに充填し、バルーンの収縮力で体内に微量づつ注入する薬液注入ポンプに使用するバルーン固定具であって、
該バルーン固定具は、
管状に成形されたバルーンの端部に挿入されるものであり、先端と基端を有し、先端側にバルーンの端部を径方向に広げて固定するためのカシメ突起を設けた内カシメ部材と、
バルーンの端部の外周に嵌められるものであり、先端と基端を有し、前記内カシメ部材のカシメ突起とでバルーンの端部を挟み込む固定筒を有する外カシメ部材とからなり、
前記外カシメ部材の固定筒は、先端から基端に向けて内径が拡がるテーパー状筒体に成形され、前記外カシメ部材に挿入された内カシメ部材の軸方向への相対移動によりカシメ強度を加減することができる
ことを特徴とするバルーン固定具。
【請求項２】
前記外カシメ部材と前記内カシメ部材は、互いの抜けを防止する抜け防止機構を備えたことを特徴とする請求項１記載のバルーン固定具。
【請求項３】
前記抜け防止機構は、内カシメ部材の鋸状突起と外カシメ部材の係合爪との噛み合いにより軸方向の抜けを防止する機構であることを特徴とする請求項２記載のバルーン固定具。
【請求項４】
前記抜け防止機構は、内カシメ部材の雄ネジと外カシメ部材の係合爪の螺合により、軸方向の抜けを防止する機構であることを特徴とする請求項２記載のバルーン固定具。
【発明の詳細な説明】
【０００１】
【発明の属する技術分野】
本発明は、バルーン固定具に関する。さらに詳しくは、薬液を血管や膀胱などに少量づつ持続して注入するためのバルーンインフューザーのバルーンを固定軸やコネクターに固定するバルーン固定具に関する。
【０００２】
【従来の技術】
バルーンインフューザーのバルーンは圧力特性から加硫ゴムのバルーンが主に使用されている。しかるに、これらの材料は、固定軸部材やコネクター部材等の樹脂部品との溶剤や接着剤を用いての接着では、接着力がほとんどなく、バルーンの収縮する圧力下ではバルーンを保持固定できない。
そのため、バルーンインフューザーの固定には、金具を用いたものや、Ｏリングによるものが採用されているが、これらは、一定の固定強度を持たせるためには、設定された肉厚のチューブに対応し、固定具の仕様を決めなければならず、一般にはバルーンの肉厚公差を厳しくしなければならなかった。
【０００３】
【発明が解決しようとする課題】
本発明は上記事情に鑑み、バルーンの肉厚が変化しても、肉厚の変化を吸収して、適切なカシメ強度でしっかりと固定軸やコネクターに固定するためのバルーン固定具を提供することを目的とする。
【０００４】
【課題を解決するための手段】
請求項１のバルーン固定具は、薬液を弾性体からなる薬液バルーンに充填し、バルーンの収縮力で体内に微量づつ注入する薬液注入ポンプに使用するバルーン固定具であって、該バルーン固定具は、管状に成形されたバルーンの端部に挿入されるものであり、先端と基端を有し、先端側にバルーンの端部を径方向に広げて固定するためのカシメ突起を設けた内カシメ部材と、バルーンの端部の外周に嵌められるものであり、先端と基端を有し、前記内カシメ部材のカシメ突起とでバルーンの端部を挟み込む固定筒を有する外カシメ部材とからなり、前記外カシメ部材の固定筒は、先端から基端に向けて内径が拡がるテーパー状筒体に成形され、前記外カシメ部材に挿入された内カシメ部材の軸方向への相対移動によりカシメ強度を加減することができることを特徴とする。
請求項２のバルーン固定具は、請求項１記載の発明において、前記外カシメ部材と前記内カシメ部材は、互いの抜けを防止する抜け防止機構を備えたことを特徴とする。
請求項３のバルーン固定具は、請求項２記載の発明において、前記抜け防止機構は、内カシメ部材の鋸状突起と外カシメ部材の係合爪との噛み合いにより軸方向の抜けを防止する機構であることを特徴とする。
請求項４のバルーン固定具は、請求項２記載の発明において、前記抜け防止機構は、内カシメ部材の雄ネジと外カシメ部材の係合爪の螺合により、軸方向の抜けを防止する機構であることを特徴とする。
【０００５】
請求項１の発明によれば、内カシメ部材のカシメ突起は外カシメ部材のテーパ状の固定筒内での挿入深さと隙間を連続的に変化させうるのでバルーンの端部の肉厚に変化があっても、これを吸収して確実に狭圧することができる。よって、チューブの肉厚が一定の範囲内であれば、適切なカシメ強度で固定することができる。
請求項２の発明によれば、いったん外カシメ部材と内カシメ部材を結合すると抜け防止機構により、勝手に抜けることがないので、カシメ強度を長期間同一に保持することができ、バルーンインフューザーの信頼性を高めることができる。請求項３の発明によれば、係合爪が鋸状突起に噛み合うと、内カシメ部材と外カシメ部材の抜けを確実に防止することができる。
請求項４の発明によれば、係合爪を雄ネジに螺合させると、ねじ込むだけでカシメ強度を微妙に加減でき、しかも内カシメ部材と外カシメ部材の勝手な抜けを防止でき、人為的な取外しも可能とすることができる。
【０００６】
【発明の実施の形態】
つぎに、本発明の実施形態を図面に基づき説明する。
図１は本発明の一実施形態に係るバルーン固定具の分解断面図、図２の(A) 図は図１のバルーン固定具において薄肉のバルーン端部と結合した状態を示す断面図、(B) 図は同固定金具において厚肉のバルーン端部と結合した状態を示す断面図、図３は本発明の他の実施形態に係るバルーン固定具の分解断面図、図４の(A) 図は図３のバルーン固定具において薄肉のバルーン端部と結合した状態を示す断面図、(B) 図は同固定金具において厚肉のバルーン端部と結合した状態を示す断面図である。
【０００７】
図１〜５において、Ｂは薬液が充填されるバルーンであり、その一端のみ示されている。このバルーンはゴム等の弾性体によって筒状の形に成形された部材であり、薬液を充填すると風船状に膨張し、その膨張状態で生ずる弾性体の収縮力によって、薬液を排出する機能をもつものである。図１〜５では、そのようなバルーンＢの筒状端部のみ示している。
図１に示すように、バルーン固定具Ａは、内カシメ部材１と外カシメ部材２とから構成されている。内カシメ部材１は固定軸やコネクターの端部に形成されており、外カシメ部材２は前記バルーンＢの端部に外挿され用いられる。
【０００８】
つぎに、図１に基づきバルーン固定具Ａの詳細を説明する。
前記内カシメ部材１は、先端から基端に向かって順に、亀頭状の挿入部１１、円筒状の胴部１２が形成され、挿入部１１と胴部１２の間に胴部１２より外径の大きい第１カシメ突起１３が形成され、胴部１２の根元に胴部より外径の大きい第２カシメ突起１４が形成されている。この第１カシメ突起１３と第２カシメ突起１４が、特許請求の範囲にいうカシメ突起に相当する。
また、胴部１２より基端側に、鋸状突起１５が形成されている。この鋸状突起１５は、後述する外カシメ部材２の係合爪２５と係合する形状と外径を有している。
【０００９】
前記外カシメ部材２は、先端側より基端側に向けて、テーパ状の固定筒２１と、それより大径の連結部２２とが形成されている。固定筒２１は内周面が先端側から基端側に向けて緩やかなテーパをなしている。連結部２２には、その基端部内側に係合爪２５が形成されている。この係合爪２５は前記内カシメ部材１の鋸状突起１５と噛み合って係合する部材である。
この係合爪２５は連結部２２の全周に設けられているのではなく、周方向に間欠的に設けられている。つまり、本実施形態では周方向等間隔に４カ所であり、連結部２２も周方向に４カ所の空所２６が形成されている。このように係合爪２５と連結部２２を周方向に間欠的に設けたのは、ある程度の撓みを許容させて、内カシメ部材１の鋸状突起１５との噛み合いを可能とするためである。上記の係合爪２５と鋸状突起１５は抜け防止機構を構成している。
【００１０】
つぎに、上記バルーン固定具Ａの使用方法を図２に基づき説明する。
(A) 図は薄肉のバルーンＢの端部を結合した状態である。この場合、第１カシメ突起１３と第２カシメ突起１４が固定筒２１内に挿入されて、薄肉のバルーンＢの端部を２カ所で挟圧している。また係合爪２５は鋸状突起１５の後方で係合している。
(B) は厚肉のバルーンＢの端部を結合した状態である。この場合、第１カシメ突起１３が固定筒２１内に挿入されて、厚肉のバルーンＢの端部を１カ所で挟圧している。なお、第２カシメ突起１４は固定筒２１の外側でバルーンＢの端部を押し広げている。係合爪２５は鋸状突起１５の前方で係合している。
上記に薄肉のバルーンＢと厚肉のバルーンＢの場合を結合した状態を(A) 図と(B) 図で示したが、上記の中間の厚さのチューブの場合は、上記(A) 図と(B) 図の中間の状態でカシメが行われて結合されることになる。
よって、バルーンＢの厚さに変動があっても、確実に適切な強度でカシメ結合ができ、しかも結合爪２５と鋸状突起１５によって、いったん結合させると抜け出ることがない。
【００１１】
つぎに、図３に基づき、他の実施形態のバルーン固定具Ａを説明する。
この実施形態は、内カシメ部材１に前記鋸状突起１５の代わりに雄ネジ１６を形成したものである。この雄ネジ１６と係合突起２５は抜け防止機構を構成している。その余の構成は図１の実施形態と同一であるため、同一部分に同一符号を付して説明を省略する。
この内カシメ部材１と外カシメ部材２を結合する場合は内カシメ部材１の先端を外カシメ部材２内のバルーンＢの端部に挿入し、外カシメ部材２を回転させて、係合爪２５を雄ネジ１６に螺合させればよい。そして、適当なカシメ強度が得られるまで螺進させると、カシメ結合が完了する。
そして、この実施形態においても、図４の(A) 図と(B) 図に示すように、バルーンＢが薄い場合も厚い場合も確実にカシメ付けができ、しかも内カシメ部材１と外カシメ部材２とはいったん結合すると、勝手に抜け出ることはない。しかも、外カシメ部材２を回転させると、雄ネジ１６に対して緩んで人為的に取り外すことができる。
【００１２】
つぎに、本発明の他の実施形態を図面に基づき説明する。
前記実施形態では、内カシメ部材１に２個のカシメ突起１３、１４を設けたが、このカシメ突起は場合によっては１個でもよく、３個以上であってもよい。
また前記実施形態では、外カシメ部材２に円周方向において４ヵ所の係合爪２５と空所２６を形成したが、これを３ヵ所や２ヵ所としてもよく、さらに５ヵ所以上としてもよい。
【００１３】
【発明の効果】
請求項１の発明によれば、バルーンの端部の肉厚に変化があっても、これを吸収して確実に狭圧することができ適切なカシメ強度で固定することができる。
請求項２の発明によれば、いったん外カシメ部材と内カシメ部材を結合すると抜け防止機構により、勝手に抜けることがないので、カシメ強度を長期間同一に保持することができる。
請求項３の発明によれば、係合爪が鋸状突起に噛み合うと、内カシメ部材と外カシメ部材の抜けを確実に防止することができる。
請求項４の発明によれば、係合爪を雄ネジに螺合させると、ねじ込むだけでカシメ強度を微妙に加減でき、しかも内カシメ部材と外カシメ部材の勝手な抜けを防止でき、人為的な取外しも可能とすることができる。
【図面の簡単な説明】
【図１】  本発明の一実施形態に係るバルーン固定具の分解断面図である。
【図２】    (A) 図は図１のバルーン固定具において薄肉のバルーン端部と結合した状態を示す断面図、(B) 図は同固定金具において厚肉のバルーン端部と結合した状態を示す断面図である。
【図３】  本発明の他の実施形態に係るバルーン固定具の分解断面図である。
【図４】    (A) 図は図３のバルーン固定具において薄肉のバルーン端部と結合した状態を示す断面図、(B) 図は同固定金具において厚肉のバルーン端部と結合した状態を示す断面図である。
【符号の説明】
Ａ  バルーン固定具
Ｂ  バルーン
１  内カシメ部材
２  外カシメ部材
１１  挿入部
１３  第１カシメ突起
１４  第２カシメ突起
１５  鋸状突起
１６  雄ネジ
２５  係合爪
【図１】
0003915277.tif 000002
【図２】
0003915277.tif 000003
【図３】
0003915277.tif 000004
【図４】
0003915277.tif 000005